(57)【要約】      （修正有）【課題】ラップフィルムの引き出し性を損ねることなく、その巻き戻りや飛び出しを効果的に防止することのできる収納箱を提供する。【解決手段】前面板１、底面板、後面板３、及び側面板２の各壁面で形成される上部が開口した略直方体の収納室と、後面板の上端縁から収納室の開口部を覆う方向に連接した開閉可能な蓋面板と、蓋面板の前端縁から前面板を覆う方向に延出した掩蓋片と、側面板の上端縁から開口部側を覆う方向に連接したフラップ６とを有する略直方体の収納箱において、（１）糸状又はリボン状の部材４が、一方の側面板上端縁又は上端縁近傍から、他方の上端縁又は上端縁近傍へと、略緊張状態となるように橋渡しされていること；（２）少なくとも一方の側面板とフラップとの連接部又は連接部近傍の前面板寄りに、切込みＡを有すること；（３）糸状又はリボン状の部材の、少なくとも一方の端部は、切込みＡに差込まれ固定されていること；を特徴とする。【選択図】図１
0003192561.tif 000002
【実用新案登録請求の範囲】
【請求項１】
前面板、底面板、後面板、及び側面板の各壁面で形成される上部が開口した略直方体の収納室と、後面板の上端縁から収納室の開口部を覆う方向に連接した開閉可能な蓋面板と、蓋面板の前端縁から前面板を覆う方向に延出した掩蓋片と、上記側面板の上端縁から上記開口部側を覆う方向に連接したフラップとを有する略直方体の収納箱において、
（１）糸状又はリボン状の部材が、一方の上記側面板上端縁又は上端縁近傍から、他方の上記側面板上端縁又は上端縁近傍へと、略緊張状態となるように橋渡しされていること；
（２）少なくとも一方の上記側面板と上記フラップとの連接部又は連接部近傍の前面板寄りに、切込みＡを有すること；
（３）上記糸状又はリボン状の部材の、少なくとも一方の端部は、上記切込みＡに差込まれ固定されていること；
を特徴とする収納箱。
【請求項２】
上記切込みＡの深さが２〜１０ｍｍであることを特徴とする請求項１に記載の収納箱。
【請求項３】
上記切込みＡが、その開口部に切欠きαを有することを特徴とする請求項１又は請求項２に記載の収納箱。
【請求項４】
上記切欠きαが、三角形状であることを特徴とする請求項３に記載の収納箱。
【請求項５】
上記切欠きαの切込みに連接する角の大きさが４５〜９０度の三角形状であることを特徴とする請求項４に記載の収納箱。
【請求項６】
上記切込みＡを有する側の上記側面板の後面板寄り縁部に１以上の切込みを有し、上記糸状又はリボン状の部材の切込みＡへの差込み固定部から延出する自由端が、上記切込みに差込まれ固定されていることを特徴とする請求項１〜５の何れか１項に記載の収納箱。
【請求項７】
請求項１〜６の何れか１項に記載の収納箱にラップフィルム巻回体が収納された物品。
【考案の詳細な説明】
【技術分野】
【０００１】
本考案は、一般家庭、食料品販売業、及び飲食物提供役務等において、主として食品の包装用に汎用されているラップフィルムを収納する箱に関する。更に詳しくは、略直方体の収納箱に納められた巻回体として提供されたラップフィルムを、箱から必要分量引き出して使用する際に、ラップフィルムが巻き戻ったり、巻回体が箱から飛び出したりするトラブルを防止することのできる収納箱に関する。
【背景技術】
【０００２】
従来から、ラップフィルムは、前面板、底面板、後面板、及び側面板の各壁面で形成される上部が開口した略直方体の収納室と、後面板の上端縁から収納室の開口部を覆う方向に連接した開閉可能な蓋面板と、蓋面板の前端縁から前面板を覆う方向に延出した掩蓋片とを有する略直方体の収納箱に納められた巻回体として提供されており、ここから必要分量を引き出して使用に供されている。ところが必要分量のラップフィルムを収納箱から引き出して使用する際に、ラップフィルムが巻き戻ってしまうことがあった。通常、ラップフィルムは肉厚１０μｍ程度と極めて薄く、透明であり、かつ粘着性を付与されているため、巻回体上からラップフィルムの末端縁を摘み上げ、再び広げることは、かなり困難な作業である。またラップフィルムを収納箱から引き出す際に、巻回体が収納箱から飛び出してしまうこともあった。そこでこれらのトラブルに対処するため、収納箱に巻き戻り防止や飛び出し防止のためのフラップを設けるなどの提案がなされている（例えば特許文献１〜５）。しかし、これらの技術は、ラップフィルムが巻き戻り防止や飛び出し防止のためのフラップに引っ掛かって引き出し難くなることがあるため、十分に満足できるものではない。
【先行技術文献】
【特許文献】
【０００３】
【特許文献１】特開２００２−２７４５３３号公報
【特許文献２】特許４４０８１３９号公報
【特許文献３】特許４６７３４４２号公報
【特許文献４】特開２０１２−１３１５２２号公報
【特許文献５】特開２０１２−２４０７２４号公報
【考案の概要】
【考案が解決しようとする課題】
【０００４】
本考案の課題は、ラップフィルムの引き出し性を損ねることなく、その巻き戻りや飛び出しを効果的に防止することのできる収納箱を提供することである。
【課題を解決するための手段】
【０００５】
本考案者は、鋭意研究した結果、糸状又はリボン状の部材を、特定の方法で固定し、上記収納室の開口部の一方の短辺の上端縁又は上端縁近傍から、他方の短辺の上端縁又は上端縁近傍へと、略緊張状態となるように橋渡しさせることにより、上記課題を達成できることを見出した。
【０００６】
すなわち、本考案は、前面板、底面板、後面板、及び側面板の各壁面で形成される上部が開口した略直方体の収納室と、後面板の上端縁から収納室の開口部を覆う方向に連接した開閉可能な蓋面板と、蓋面板の前端縁から前面板を覆う方向に延出した掩蓋片と、上記側面板の上端縁から上記開口部側を覆う方向に連接したフラップとを有する略直方体の収納箱において、
（１）糸状又はリボン状の部材が、一方の上記側面板上端縁又は上端縁近傍から、他方の上記側面板上端縁又は上端縁近傍へと、略緊張状態となるように橋渡しされていること；
（２）少なくとも一方の上記側面板と上記フラップとの連接部又は連接部近傍の前面板寄りに、切込みＡを有すること；
（３）上記糸状又はリボン状の部材の、少なくとも一方の端部は、上記切込みＡに差込まれ固定されていること；
を特徴とする収納箱である。
【０００７】
本考案の第２の考案は、上記切込みＡの深さが２〜１０ｍｍであることを特徴とする第１の考案１に記載の収納箱である。
【０００８】
本考案の第３の考案は、上記切込みＡが、その開口部に切欠きαを有することを特徴とする第１の考案又は第２の考案に記載の収納箱である。
【０００９】
本考案の第４の考案は、上記切欠きαが、三角形状であることを特徴とする第３の考案に記載の収納箱である。
【００１０】
本考案の第５の考案は、上記切欠きαの切込みに連接する角の大きさが４５〜９０度の三角形状であることを特徴とする第５の考案に記載の収納箱である。
【００１１】
本考案の第６の考案は、上記切込みＡを有する側の上記側面板の後面板寄り縁部に１以上の切込みを有し、上記糸状又はリボン状の部材の切込みＡへの差込み固定部から延出する自由端が、上記切込みに差込まれ固定されていることを特徴とする第１〜５の考案の何れか１に記載の収納箱である。
【００１２】
本考案の第７の考案は、第１〜６の考案の何れか１に記載の収納箱にラップフィルム巻回体が収納された物品である。
【考案の効果】
【００１３】
本考案の収納箱は、ラップフィルムの引き出し性を損ねることなく、その巻き戻りや飛び出しを効果的に防止することができる。
【考案を実施するための形態】
【００１４】
本考案の収納箱は、（１）糸状又はリボン状の部材が、一方の上記側面板上端縁又は上端縁近傍から、他方の上記側面板上端縁又は上端縁近傍へと、略緊張状態となるように橋渡しされていること；を特徴とする。
【００１５】
本考案について、好ましい実施態様を中心に、図を参照して説明する。図１は本考案の収納箱の一例の使用状態を示す斜視図である。本考案の収納箱は、前面板、底面板、後面板、及び側面板の各壁面で形成される上部が開口した略直方体の収納室と、後面板の上端縁から収納室の開口部を覆う方向に連接した開閉可能な蓋面板と、蓋面板の前端縁から前面板を覆う方向に延出した掩蓋片と、上記側面板の上端縁から上記開口部側を覆う方向に連接したフラップとを有しており、略直方体である。
【００１６】
本考案の収納箱は、使用状態において、図１に示すように、ラップフィルムの巻回体５から引き出されたラップフィルム７は糸状又はリボン状の部材４の上を通る。すると糸状又はリボン状の部材４は、上記要件（１）のように構成されているため、ラップフィルム７と糸状又はリボン状の部材４とは微弱な力で引っ掛かることになるが、ラップフィルム７を巻回体５から引き出す力は十分に大きいため、引き出し性が損なわれることはない。一方、引き出されたラップフィルム７が巻き戻ろうとする際の力は非常に小さいため、ラップフィルム７と糸状又はリボン状の部材４との引っ掛かり力が微弱であっても、巻き戻りは効果的に防止される。また糸状又はリボン状の部材４と巻回体５とは、一定の距離を有している。すると仮に巻き戻ってしまったとしても、ラップフィルム７の末端縁は巻回体５にふんわりと着地し、多くの空気を巻き込むことになるため、比較的容易に末端縁を摘み上げ、再び広げることができる。
【００１７】
ラップフィルム７と糸状又はリボン状の部材４との引っ掛かり力は、糸状又はリボン状の部材の形状や材質によっても違ってくる。ポリ塩化ビニリデン系やポリ塩化ビニル系のラップフィルムの場合には、糸状又はリボン状の部材としては、合成樹脂製の糸が好ましい。合成樹脂製の糸としては、例えば、ナイロン６、ナイロン６６、ナイロン１２などのナイロン製の糸；ポリエチレン、ポリプロピレンなどのポリオレフィン製の糸；ポリエチレンテレフタレートなどのポリエステル製の糸；をあげることができる。より好ましくはナイロン製のより糸であり、直径０．６〜１．０ｍｍのナイロン製のより糸が更に好ましい。
【００１８】
糸状又はリボン状の部材の橋渡しは、ラップフィルムの巻回体と平行であってもよく、平行でなくてもよい。また糸状又はリボン状の部材の橋渡しは、１本に限らず、複数本であってもよいが、通常は１本で十分である。
【００１９】
また本考案の収納箱は、使用状態において、図１に示すように、ラップフィルムの巻回体５は上記糸状又はリボン状の部材４の奥にあるため、該糸状またはリボン状の部材４が障害となって、巻回体５の飛び出しは効果的に防止される。
【００２０】
本考案の収納箱は、（２）少なくとも一方の上記側面板と上記フラップとの連接部又は連接部近傍の前面板寄りに、切込みＡを有すること；（３）上記糸状又はリボン状の部材の、少なくとも一方の端部は、上記切込みＡに差込まれ固定されていること；を特徴とする。
【００２１】
上記糸状又はリボン状の部材の端部の一方は、一方の上記側面板と上記フラップとの連接部又は連接部近傍の前面板寄りに、他の方法、例えば、粘着テープ等で固定されていてもよいが、糸状又はリボン状の部材の固定を確実にする観点から、本考案の収納箱は、上記切込みＡを、両方の側面板とフラップとの連接部又は連接部近傍の前面板寄りに有し、糸状又はリボン状の部材の、一方の端部は一方の切込みＡに、他方の端部は他方の切込みＡに差込まれ固定されていることが好ましい。
【００２２】
上記切込みＡは、ラップフィルム巻回体からのラップフィルム引き出し性を維持する観点から、上記側面板と上記フラップとの連接部又は連接部近傍の前面板寄りに、設けられる。
【００２３】
上記糸状又はリボン状の部材の橋渡し位置は、上述した橋渡しの効果（巻き戻り防止、及び飛び出し防止）を得る観点から、上記収納室開口部の前面板寄り、好ましくは上記収納室開口部の前面板寄りの前面板から２〜１０ｍｍ離れた位置、より好ましくは３〜８ｍｍ離れた位置、更に好ましくは４〜７ｍｍ離れた位置である。また糸状又はリボン状の部材の端部は、少なくとも一方、好ましくは両方が、切込みＡに差込まれ固定されるが、その固定位置は、通常、切込みの最奥近辺になる。従って、切込みＡの深さは、好ましくは２〜１０ｍｍ、より好ましくは３〜８ｍｍ、更に好ましくは４〜７ｍｍである。
【００２４】
上記切込みＡは、直線であることが製造上容易であるため好ましいが、制限されない。例えば、図５に示すように、波線や曲線であってもよい。後述する切込みＢや切込みＣについても同様である。
【００２５】
上記切込みＡは、その開口部に切欠きαを有し、拡げられていることが好ましい。開口部に切欠きαを有し、拡げられていることにより、上記糸状又はリボン状の部材を、切込みＡにスムーズに差し込み、固定することができ、収納箱の製造上有利である。なお切込みＡが、その開口部に切欠きαを有する場合の深さは、一例を図２に示すように、切欠きαの開口部から切込みの最奥までの距離である。後述する切込みＢや切込みＣについても同様である。
【００２６】
上記切欠きαの実施例としては、切込みに連接する角ａｂｃを成す三角形状（実施例を図４〜６、８に示す。）、半円状（一例を図９に示す。）、及び円弧状（一例を図７に示す）などをあげることができる。これらの中で、差し込み時のガイド効果を得る観点、及び収納箱の強度の観点から、三角形状が好ましく、上記角ａｂｃの大きさが４５〜９０度の三角形状がより好ましい。後述する切込みＢや切込みＣについても同様である。
【００２７】
上記糸状又はリボン状の部材は、上記切込みＡに差し込まれ、固定されることにより、略緊張状態となるように橋渡しされている。ここで、糸状又はリボン状の部材の切込みＡへの差し込み固定部から延出している自由端を、更に収納箱に繋止機構を設けて、固定すれば、上記切込みＡにおける固定を強化するとともに、上記自由端が、収納箱の使用時に邪魔にならなくなる。
【００２８】
上記繋止機構としては、好ましくは、上記側面板の後面板寄り縁部に設けた切込みをあげることができる。より好ましくは、上記側面板の後面板寄り縁部に設けた２以上の切込みをあげることができる。他の繋止機構としては、粘着テープ等による上記自由端の側面板等への固定をあげることができる。
【００２９】
以下、上記側面板の後面板寄り縁部に２つの切込みを設けた実施例を説明する。説明の便宜上、側面板の後面板寄り縁部の上端縁側を切込みＢ、底面板側を切込みＣとする。図１では、糸状又はリボン状の部材が、側面板に設けた切込みＡ、切込みＢ、及び切込みＣにより固定され、更に粘着テープによる自由端の側面板への固定も施されている。図２は、側面板に設けた切込みＡ、切込みＢ、及び切込みＣの一例を示す概念図である。図３は、側面板に設けた切込みＡ、切込みＢ、及び切込みＣに糸状又はリボン状の部材が固定された状態の一例を示す概念図である。糸状又はリボン状部材の切込みＡへの差し込み固定部から延出している自由端は、切込みＢに差し込まれ、固定されており、更に切込みＢへの差し込み固定部から延出している自由端は、切込みＣに差し込まれ、固定されている。なお糸状又はリボン状部材の固定の仕方は、これに限らず、切込みＣを先にし、切込みＢを後にしてもよい。
【００３０】
上記切込みＢや上記切込みＣの深さは、上記糸状又はリボン状の部材の固定を確実にする観点から、通常２〜１０ｍｍ、好ましくは３〜８ｍｍ、より好ましくは４〜７ｍｍである。
【００３１】
また上記切込みＢや上記切込みＣは、上記糸状又はリボン状の部材を、切込みにスムーズに差し込み、固定し易くする観点から、その開口部に切欠きを有することが好ましい。切欠きの形状については、切込みＡの説明において上述した。
【００３２】
上記切込みＢと上記切込みＣとの距離は、上記糸状又はリボン状の部材の固定を確実にする観点から、及び上記収納箱の強度の観点から、収納箱の大きさにもよるが、側面板の後面板寄り縁部の長さが４２ｍｍの収納箱の場合には、好ましくは５〜２５ｍｍ、より好ましくは１０ｍｍ〜１５ｍｍ、最も好ましくは１３ｍｍである。
【００３３】
上記切込みＢと側面板上端縁との距離は、上記糸状又はリボン状の部材の固定を確実にする観点から、及び上記収納箱の強度の観点から、収納箱の大きさにもよるが、側面板の後面板寄り縁部の長さが４２ｍｍの収納箱の場合には、好ましくは１２〜１７ｍｍである。
【００３４】
上記切込みＣと、側面板と底面板との連接縁との距離は、上記糸状又はリボン状の部材の固定を確実にする観点から、及び上記収納箱の強度の観点から、収納箱の大きさにもよるが、側面板の後面板寄り縁部の長さが４２ｍｍの収納箱の場合には、好ましくは１２〜１７ｍｍである。
【００３５】
本考案の収納箱は、任意の材料、例えば、コートボール紙、段ボール、含浸紙、及び熱可塑性樹脂シートなどを用いて作ることができる。中でも、ラップフィルムの収納箱に通常用いられる紙と同様の紙、例えば、坪量４００〜５００ｇ／ｍ２のコートボール紙が、工作が容易であり、低コストであるため好ましい。紙の坪量は、小さいと耐久性に問題が生じ易くなり、大きいとコスト高になる。従って、紙の坪量は必要な耐久性を勘案して適宜選択される。
【００３６】
なお本考案の収納箱は、上記糸状又はリボン状の部材の一方の端部のみ固定した半製品の状態で販売・流通させ、他方の端部は、需要者が固定し、完成させることも好ましい。その他、収納箱には切込みＡ、及び所望により任意の切込みを設けた半製品の状態で販売・流通させ、上記糸状又はリボン状の部材の固定、及び橋渡しは需要者が行う態様も好ましい。
【００３７】
本考案の構成が、実施例により具体的に説明されたが、これらは本考案を例示的に説明したものに過ぎず、本考案の技術分野における通常の知識を有する者であれば、本考案の本質的な特徴から外れない範囲内で様々な変形が可能である。本明細書に開示された実施例により、本考案の技術思想と技術的範囲が何ら限定されるものではない。本考案の技術的範囲は、実用新案登録請求の範囲の記載に基づいて定められるべきであり、これと同等の範囲内にある全ての技術は、本考案の技術的範囲に含まれるものと解釈されるべきである。
【図面の簡単な説明】
【００３８】
【図１】本考案の一例の使用状態を示す斜視図である。
【図２】側面版に設けた切込みＡ、切込みＢ、及び切込みＣの一例を示す概念図である。
【図３】側面版に設けた切込みＡ、切込みＢ、及び切込みＣにより糸状又はリボン状の部材が固定された状態の一例を示す概念図である。
【図４】切り込みＡの他の一例を示す概念図である。
【図５】切り込みＡの他の一例を示す概念図である。
【図６】切り込みＡの他の一例を示す概念図である。
【図７】切り込みＡの他の一例を示す概念図である。
【図８】切り込みＡの他の一例を示す概念図である。
【図９】切り込みＡの他の一例を示す概念図である。
【符号の説明】
【００３９】
１：前面版
２：側面板
３：後面板
４：糸状又はリボン状の部材
５：ラップフィルムの巻回体
６：側面板の上端縁から開口部側を覆う方向に連接したフラップ
７：巻回体から引き出されたラップフィルム
９：固定テープ
１０：切込みＢと切込みＣとの距離
１１：切込みＢと側面板上端縁との距離
１２：切込みＣと側面板と底面板との連接縁との距離
１３：切込みＡの深さ
Ａ：切込みＡ
Ｂ：切込みＢ
Ｃ：切込みＣ
α：切欠きα
【図１】
0003192561.tif 000003
【図２】
0003192561.tif 000004
【図３】
0003192561.tif 000005
【図４】
0003192561.tif 000006
【図５】
0003192561.tif 000007
【図６】
0003192561.tif 000008
【図７】
0003192561.tif 000009
【図８】
0003192561.tif 000010
【図９】
0003192561.tif 000011